(57)【要約】【課題】シュリンク包装体の結束力等の包装強度を維持しつつ、開封性を向上させる。【解決手段】熱収縮性プラスチックの包囲用フィルムを物品に巻き付け、加熱収縮に伴い物品に密着させたシュリンク包装体において、包囲用フィルム１と開封用フィルム２とを溶断に伴いシール部３で接合した構成とし、包囲用フィルム１を物品の周方向に順次巻き付け、その両端のシール部３の間に、開封用フィルム２を介在させる。物品を周方向に順次巻き付ける包囲用フィルム１及び開封用フィルム２で覆うため、包装強度が確保され、開封用フィルム２を引っ張り、シール部３に沿って切断することにより、容易に開封することができる。また、着色や印刷を施した開封用フィルム２が包囲用フィルム１との対比で目立つため、開封手段の存在を作業者に直感的に認識させることができる。【選択図】図１
2015227172.tif 000002
【特許請求の範囲】
【請求項１】
熱収縮性プラスチックの包囲用フィルムを物品に巻き付け、加熱収縮に伴い物品に密着させたシュリンク包装体において、包囲用フィルム(1)と開封用フィルム(2)とを溶断に伴いシール部(3)で接合した構成とし、包囲用フィルム(1)が物品の周方向に順次巻き付けられ、その両端のシール部(3)の間に開封用フィルム(2)が介在するようにしたことを特徴とするシュリンク包装体。
【請求項２】
前記シール部(3)に沿ってミシン目状の誘導切目線(4)を入れたことを特徴とする請求項１に記載のシュリンク包装体。
【請求項３】
前記包囲用フィルム(1)及び開封用フィルム(2)として、異なる種類のものを用いたことを特徴とする請求項１又は２に記載のシュリンク包装体。
【請求項４】
前記開封用フィルム(2)に着色フィルム又は印刷フィルムを使用した請求項１〜３のいずれかに記載のシュリンク包装体。
【請求項５】
請求項１〜４のいずれかに記載のシュリンク包装体による包装方法であって、包囲用フィルム(1)の繰出量を多くして物品の周方向に順次巻き付け、開封用フィルム(2)の繰出量を極端に少なくして帯状とすることを特徴とする包装方法。
【請求項６】
請求項５に記載のシュリンク包装体による包装方法において、物品を９０°回転させた状態で、包囲用フィルム(1)を開封用フィルム(2)と接合して物品に巻き付け、その後、物品を正転させることにより、開封用フィルム(2)を物品の天面に位置させることを特徴とする包装方法。
【発明の詳細な説明】
【技術分野】
【０００１】
この発明は、熱収縮性プラスチックのフィルムにより物品を包み込むようにしたシュリンク包装体及びその包装方法に関するものである。
【背景技術】
【０００２】
一般に、各種物品の流通過程における包装体として、熱収縮性プラスチックのフィルムで物品を包み込み、フィルムを溶断した後、加熱収縮させて物品に密着させるシュリンク包装体が採用されている。シュリンク包装体及びその包装方法としては、例えば、下記特許文献１に記載されたようなものが知られている。
【０００３】
このシュリンク包装体による物品の包装に際しては、図９に示すように、スピンドル６１から繰り出した熱収縮性プラスチックのフィルム５１の先端部を把持部６２で把持し、ガイドローラー６３でフィルム５１に張力を与え、物品７１をコンベヤ、プッシャー等の搬送手段で上流側から下流側へ搬送する。
【０００４】
そして、物品７１を進行させつつ、溶着シール手段６４及びフィルム切断手段６５を下降させ、物品７１の外周にフィルム５１を筒状に巻き付け、ミシン目状の切目を入れる刃物を備えた溶着シール手段６４によりフィルム５１を溶着すると共に、フィルム切断手段６５によりフィルム５１を切断する。
【０００５】
これに伴い、図１０（ａ）に示すように、物品７１を包み込む筒状のフィルム５１にシール部５２が形成されると共に、シール部５２の中間部に沿ってミシン目状の誘導切目線５３が入れられ、シール部５２よりフィルム５１の端部側に摘み部５４が形成される。
【０００６】
その後、フィルム５１を熱収縮させると、図１０（ｂ）に示すように、物品７１が密着したフィルム５１により両側面の一部を露呈させた状態で包装され、摘み部５４がシール部５２の表面に重なって両側面側へ周り込んだ状態となる。
【０００７】
このシュリンク包装体を開封する際には、摘み部５４を誘導切目線５３が入れられた近傍で物品７１の表面から離すように引っ張って、フィルム５１をシール部５２に沿って破断させ、物品７１から引き剥がす。
【先行技術文献】
【特許文献】
【０００８】
【特許文献１】特開２００３−１７５９１６号公報
【発明の概要】
【発明が解決しようとする課題】
【０００９】
ところで、輸送用途の集積包装をシュリンク包装体で行う場合には、強い結束力やヒートシール強度、耐衝撃性が得られるポリエチレンフィルムが多用される。
【００１０】
しかしながら、ポリエチレンフィルムは、伸びやすく、引き裂きにくいため、ポリエチレンフィルムを使用したシュリンク包装体は、ポリプロピレン等の他のフィルムを使用したシュリンク包装体に比べて、開封しにくいものとなる。
【００１１】
そこで、この発明は、シュリンク包装体の結束力等の包装強度を維持しつつ、開封性を向上させることを課題とする。
【課題を解決するための手段】
【００１２】
上記課題を解決するため、この発明は、熱収縮性プラスチックの包囲用フィルムを物品に巻き付け、加熱収縮に伴い物品に密着させたシュリンク包装体において、包囲用フィルムと開封用フィルムとを溶断に伴いシール部で接合した構成とし、包囲用フィルムが物品の周方向に順次巻き付けられ、その両端のシール部の間に開封用フィルムが介在するようにしたのである。
【００１３】
また、フィルムの切断性向上のため、前記シール部に沿ってミシン目状の誘導切目線を入れ、前記包囲用フィルム及び開封用フィルムとして、異なる種類のものを用いたのである。さらに、開封部を目立たせるため、前記開封用フィルムに着色フィルム又は印刷フィルムを使用したのである。
【００１４】
この開封用フィルムを帯状とするには、包囲用フィルムの繰出量を多くして物品の周方向に順次巻き付け、開封用フィルムの繰出量を極端に少なくすればよい。
【００１５】
また、開封用フィルムを包装状態で物品の天面に位置させるには、物品を９０°回転させた状態で、包囲用フィルムを開封用フィルムと接合して物品に巻き付け、その後、物品を正転させるとよい。
【発明の効果】
【００１６】
この発明に係るシュリンク包装体では、物品を周方向に順次巻き付ける包囲用フィルム及び開封用フィルムで覆うため、包装強度が確保され、開封に際し、開封用フィルムを引っ張り、シール部に沿って切断することにより、容易に開封することができ、この開封手段の存在を作業者に直感的に認識させることができる。
【００１７】
また、このシール部に沿って誘導切目線を入れ、開封用フィルムに包囲用フィルムとは異なる種類の易カット性のものや易剥離性のものを使用することにより、切断性を向上させることができる。
【００１８】
さらに、開封用フィルムに着色フィルム又は印刷フィルムを使用することにより、開封手段を目立たせることができる。そして、開封用フィルムの使用量は僅かで済むため、包装コストの上昇も抑制することができる。
【図面の簡単な説明】
【００１９】
【図１】この発明の実施形態に係るシュリンク包装体による箱の集積包装状態を示す斜視図
【図２】同上の包装方法のフィルム巻付の初期工程を示す概略側面図
【図３】同上のフィルム巻付後の溶断工程を示す概略側面図
【図４】同上のフィルム溶断後の状態を示す概略側面図
【図５】同上の加熱収縮後の状態を示す概略側面図
【図６】同上のシュリンク包装体の他の実施形態であって、（ａ）両端部に着色した開封用フィルムを使用したもの、（ｂ）開封用フィルムが分離した二部分から成るもの、（ｃ）開封用フィルムが短いもの、（ｄ）開封用フィルムが物品の側面に位置するものをそれぞれ示す斜視図
【図７】同上のシュリンク包装体の他の実施形態であって、（ａ）開封用フィルムが２面に跨るもの、（ｂ）開封用フィルムが３面に跨るもの、（ｃ）開封用フィルムが２面に跨る二部分から成るもの、（ｄ）開封用フィルムが３面に跨る二部分から成るものをそれぞれ示す斜視図
【図８】同上の包装方法において、（ａ）１つの供給ロールから開封用フィルムを供給して分割する場合、（ｂ）２つの供給ロールから開封用フィルムを供給する場合のフィルム巻付の初期工程をそれぞれ示す概略側面図
【図９】従来のシュリンク包装の包装工程を示す概略側面図
【図１０】同上のシュリンク包装の（ａ）物品にフィルムを巻き付けた状態、（ｂ）加熱収縮後の状態をそれぞれ示す斜視図
【発明を実施するための形態】
【００２０】
以下、この発明の実施形態を添付図面に基づいて説明する。
【００２１】
図１に示すように、このシュリンク包装体は、食品の収納箱２２を３個ずつ２列に並べて集積した物品２１を包装するものであり、包囲用フィルム１と開封用フィルム２とが溶断に伴いシール部３で接合された構成とされている。そして、包囲用フィルム１が物品２１の周方向に順次巻き付けられ、包囲用フィルム１の両端のシール部３の間に開封用フィルム２が帯状となって介在している。
【００２２】
物品２１の大部分を包み込む包囲用フィルム１は、熱収縮性ポリエチレンから成る透明なものであり、正立状態で配列された収納箱２２の垂直面により形成される物品２１の一対の側面と、正立状態の収納箱２２の水平面により形成される物品２１の底面及び天面とを周方向として、物品２１に巻き付けられている。
【００２３】
開封用フィルム２は、透明な包囲用フィルム１との対比により目立つように、着色又は印刷が施されたものとされ、包囲用フィルム１より固い熱収縮性或いは非熱収縮性のフィルムとされている。具体的には、ポリエチレン系素材であるＨＤＰＥ等の単体又はこのポリエチレン系素材と他樹脂素材（ポリプロピレン、ポリスチレン、ポリエチレンテレフタレート等）を混合或いは複層化したもの等が使用されている。
【００２４】
また、開封用フィルム２には、一軸延伸の高密度ポリエチレン等の方向性による易カット性や、界面剥離、凝集剥離、層間剥離等の易剥離性の引裂の容易さに寄与する機能性を有するものを使用することもできる。さらに、全面にわたって無作為或いは多数列平行に並ぶ直線上に多数の穴を穿設したものを使用してもよい。
【００２５】
そして、包囲用フィルム１及び開封用フィルム２は、包装時の加熱工程における包囲用フィルム１のみ又は包囲用フィルム１及び開封用フィルム２の双方の熱収縮により、物品２１に両側面の一部を楕円状に露呈させた状態で密着している。
【００２６】
この包装状態において、開封用フィルム２は、物品２１の天面の一側寄りに位置して、物品２１の大部分を包囲する包囲用フィルム１の巻付方向に直交する方向へ延び、開封用フィルム２の両端部は、物品２１の両側面の楕円状の露呈部分に臨んでいる。帯状となる開封用フィルム２の幅は、１００ｍｍ以下となるようにするのが望ましい。
【００２７】
また、このシュリンク包装体には、開封用フィルム２の両側のシール部３の端縁に沿って、ミシン目状に切目が断続する誘導切目線４が包囲用フィルム１及び開封用フィルム２にそれぞれ入れられている。
【００２８】
このように、誘導切目線４がシール部３の両端縁に沿ってそれぞれ２本平行するように包囲用フィルム１及び開封用フィルム２に入れられるのは、後述する溶断工程において、包囲用フィルム１と開封用フィルム２とが重ねられた状態で切断された後、シール部３の端縁を基部として捲るように開かれるからである。
【００２９】
上記のようなシュリンク包装体により物品２１を包装にするには、図２に示すように、物品２１を９０°回転させ、収納箱２２が横倒しで重なり合った状態として、包装装置の搬送台に載置する。包装装置においては、上方の供給ロール１１から包囲用フィルム１が供給され、下方の供給ロール１２から開封用フィルム２が供給される。
【００３０】
なお、包囲用フィルム１と開封用フィルム２とは、前の包装動作によりシール部３で接合され、シール部３に沿って誘導切目線４が入れられた状態となっており、プッシャー等による物品２１の進行に伴い、物品２１の表面に沿って繰り出される。開封用フィルム２の繰出量は、ブレーキやサーボ機構により、包囲用フィルム１の繰出量に比較して極端に短くなるように制御される。
【００３１】
そして、図３に示すように、物品２１は、前方への進行に伴い、既に形成されたシール部３を乗り越え、下面、前面及び上面に包囲用フィルム１が巻き付き、上昇位置にある溶断穿孔ユニット１３の下方を通過した位置で停止し、その後、溶断穿孔ユニット１３のヘッド部が下降して、包囲用フィルム１を物品２１の後面に沿うように押し下げ、包囲用フィルム１と開封用フィルム２とが物品２１の後方で重なった状態で、溶断穿孔ユニット１３のヒートバー１４及びその前後に配置された切刃１５が下降する。
【００３２】
これに伴い、ヒートバー１４により包囲用フィルム１と開封用フィルム２とが重なり合った状態で溶断され、溶断部位Ｓの両側のシール部３で溶着されて接合される。また、切刃１５により、溶断部位Ｓを挟んでその両側方に、それぞれミシン目状の誘導切目線４が入れられる。
【００３３】
このように、包囲用フィルム１と開封用フィルム２とが溶断されて後続側から切り離された後、図４に示すように、物品２１は、包囲用フィルム１が筒状に巻き付けられ、その両端のシール部３の間に開封用フィルム２が帯状に介在した状態で、コンベヤ等の搬送手段により下流側へ搬送される。
【００３４】
その後、物品２１がシュリンクトンネルを通過する際、吹き付けられた熱風により、熱収縮性の有無に応じて包囲用フィルム１のみ又は包囲用フィルム１と開封用フィルム２の双方が収縮し、図５に示すように、物品２１に包囲用フィルム１及び開封用フィルム２が密着して、シュリンク包装が完了する。この状態で、物品２１を正転させると、図１に示すように、開封用フィルム２が物品２１の天面の一側寄りに位置することとなる。
【００３５】
上記シュリンク包装体では、物品２１を周方向に順次巻き付ける包囲用フィルム１及び開封用フィルム２で覆うため、包装強度が確保され、開封に際し、開封用フィルム２を引っ張り、誘導切目線４の繋部を破断させ、シール部３に沿って切断することにより、容易に開封することができ、着色や印刷を施した開封用フィルム２が包囲用フィルム１との対比で目立つため、開封手段の存在を作業者に直感的に認識させることができる。
【００３６】
また、包囲用フィルム１は、物品２１の両側面の楕円状の露呈部分に臨む部分が熱収縮により他の部分より硬くなっているが、この硬化現象に影響されることなく、容易に開封することができる。
【００３７】
そして、開封に伴い、包囲用フィルム１が全幅にわたって切り開かれるので、物品２１を包み込まれた状態から解放し、全ての収納箱２２を容易に取り出すことができる。
【００３８】
また、物品２１の表面に包囲用フィルム１を指で突き破って引き裂くための隙間や凹所がなくても、開封用フィルム２を引っ張ることにより、容易に開封することができ、カッターナイフを使用する必要もないので、物品２１を構成する収納箱２２やその内容物を傷つけることもない。
【００３９】
そのほか、着色又は印刷を施した開封用フィルム２の使用量は僅かで済むため、包装コストの上昇も抑制することができる。
【００４０】
なお、上記実施形態では、シール部３に沿って誘導切目線４を入れているが、開封用フィルム２として、包囲用フィルム１とは異なる種類の易カット性のものや易剥離性のものを使用した場合には、誘導切目線４を省略しても、開封用フィルム２をシール部３に沿って容易に切断し、又は剥離することができる。
【００４１】
また、開封用フィルム２は、図６（ａ）に示すように、物品２１の楕円状の露呈部に臨む両端部のみに着色又は印刷を施したものとしてもよい。
【００４２】
また、図６（ｂ）に示すように、開封用フィルム２が分離した二部分から成るものとして、その部分の間に物品２１が露呈する間隙部５が生じるようにしてもよく、開封用フィルム２が分離した三部分以上の複数の部分から成るものとしてもよい。
【００４３】
さらに、図６（ｃ）に示すように、開封用フィルム２の両端が物品２１の楕円状の露呈部に臨む包囲用フィルム１の端縁から凹入した形状となるようにしてもよい。或いは、開封手段の認識性を向上させるため、開封用フィルム２の両端部が物品２１の楕円状の露呈部に臨む包囲用フィルム１の端縁から突出するようにしてもよい。
【００４４】
そのほか、図６（ｄ）に示すように、開封用フィルム２が正立した物品２１の側面に位置するようにしてもよい。この場合、包装工程において、物品２１を９０°回転させ、その後、正転させる必要はない。
【００４５】
また、図７（ａ）に示すように、開封用フィルム２が２面に跨るようにしてもよく、図７（ｂ）に示すように、開封用フィルム２が３面に跨るようにしてもよい。さらに、図７（ｃ）及び（ｄ）に示すように、開封用フィルム２が分離した二部分から成るものとした場合において、開封用フィルム２が２面又は３面に跨るようにしてもよい。開封用フィルム２が分離した三部分以上の複数の部分から成る場合においても同様である。
【００４６】
なお、開封用フィルム２が２面又は３面に跨るようにする場合には、包装強度や開封性を考慮すると、開封用フィルム２で覆われる部分がそれぞれ物品２１の全周の３分の１以下又は２分の１以下とするのが望ましい。
【００４７】
ここで、図６（ｂ）及び図７（ｃ）、（ｄ）に示すように、開封用フィルム２が分離した複数の部分から成る実施形態の包装工程においては、図８（ａ）に示すように、１つの供給ロール１２から供給される開封用フィルム２を分断刃１６で溶断シール前に分断するようにしてもよく、図８（ｂ）に示すように、複数の供給ロール１２から各部分をなす開封用フィルム２をそれぞれ供給するようにしてもよい。
【００４８】
また、図６（ｂ）及び図７（ｃ）、（ｄ）では、物品２１の両側面間の中央部に開封用フィルム２の間隙部５が生じるようにしているが、間隙部５は、物品２１の両側面間の中央部からずれていてもよく、間隙部５が生じないように、開封用フィルム２の端縁同士を突き合わせたり、開封用フィルム２の端縁に臨む部分同士を重ねたりしてもよい。
【００４９】
ところで、上記実施形態では、シュリンク包装する物品２１として、収納箱２２を集積したものを例示したが、飲料のボトルや缶等の製品を直接包装する場合においても、上記シュリンク包装体を使用して包装してもよく、トレイに製品を載せた状態で、上記シュリンク包装体を使用して包装してもよい。
【符号の説明】
【００５０】
１  包囲用フィルム
２  開封用フィルム
３  シール部
４  誘導切目線
５  間隙部
１１，１２  供給ロール
１３  溶断穿孔ユニット
１４  ヒートバー
１５  切刃
１６  分断刃
２１  物品
２２  収納箱
Ｓ  溶断部位
【図１】
2015227172.tif 000003
【図２】
2015227172.tif 000004
【図３】
2015227172.tif 000005
【図４】
2015227172.tif 000006
【図５】
2015227172.tif 000007
【図６】
2015227172.tif 000008
【図７】
2015227172.tif 000009
【図８】
2015227172.tif 000010
【図９】
2015227172.tif 000011
【図１０】
2015227172.tif 000012